(57)【特許請求の範囲】
【請求項１】
床材と壁材との境界部に沿って配設される入巾木であって、
前記壁材の厚さ寸法と略同寸法とされて、この壁材の表面と連なるような表面部を有するとともに、この壁材が載置される断面略矩形状の壁面補強部と、
前記壁面補強部の下端とによって室内側に開口する凹所を形成するように前記壁面補強部の下端に連成された縦片部と、を備えており、
前記壁面補強部の高さ寸法を、当該入巾木が施工された状態で形成される壁面下端の凹部の高さ寸法よりも大きい寸法としていることを特徴とする入巾木。
【請求項２】
請求項１において、
前記縦片部から室内側に向けて突出するように形成され、前記床材の縁端部表面に当接する突出片部を更に備えていることを特徴とする入巾木。
【請求項３】
請求項２において、
前記突出片部は、その突出方向先端が、前記壁面補強部の表面部よりも前記縦片部側に位置するように形成されていることを特徴とする入巾木。
【請求項４】
請求項１乃至３のいずれか１項において、
前記凹所の表面に沿うように取り付けられるとともに、前記壁材の表面に貼着される表面化粧シートの下端部を前記凹所の表面とによって挟むように保持するカバー部材を更に備えていることを特徴とする入巾木。
【請求項５】
請求項１乃至４のいずれか１項に記載された入巾木を用いて床材と壁材との境界部を納める床壁境界部納め構造であって、
前記境界部に沿って固定された前記入巾木の壁面補強部に前記壁材が載置され、前記壁材の表面及び前記壁面補強部の表面部に表面化粧シートを貼着した構造とされていることを特徴とする床壁境界部納め構造。
【請求項６】
請求項５において、
前記入巾木の縦片部の下端部を前記床材が固定される床下地に当接させて当該入巾木を固定した構造とされていることを特徴とする床壁境界部納め構造。
【発明の詳細な説明】
【技術分野】
【０００１】
本発明は、床材と壁材との境界部に沿って配設される入巾木及びこれを用いた床壁境界部納め構造に関する。
【背景技術】
【０００２】
従来より住居等の建物の床材と壁材との境界部に沿って配設される巾木部材が知られている。
このような巾木部材としては、壁材の下端部表面に添設されるようにして配される出巾木があるが、壁面下端の空間意匠性を向上させる観点から壁面の下端に凹所を形成するような形状とされた入巾木が提案されている。
【０００３】
例えば、下記特許文献１では、床面と壁面との連結部に配置され、壁面に対して内側に凹状に引っ込めた形状とされた入巾木が提案されている。
この入巾木は、床面に対して垂直方向に立設された縦面部分と、この縦面部分から水平方向に突出した壁保持部及び床差込部とを有した構造とされ、これら壁保持部と床差込部に挟まれた位置における縦面部分に凹状に引っ込められた凹部が形成されている。
【先行技術文献】
【特許文献】
【０００４】
【特許文献１】特開２００５−２９０７４６号公報
【発明の概要】
【発明が解決しようとする課題】
【０００５】
ところで、上記のような巾木部材は、床材と壁材との境界部を見栄え良く納める機能を有する他、掃除機のヘッドや足先等の壁面下部への衝突による壁材の損傷を防止するものとしても機能するものである。
そのため、このような損傷を防止するためには、上記特許文献１に記載された入巾木では、壁保持部と床差込部に挟まれた凹部の高さ寸法を大きく形成する必要があり、壁面の下端において、該凹部が目立ち易くなり、意匠性の観点から改善が望まれていた。
【０００６】
本発明は、上記実情に鑑みてなされたものであり、壁材の損傷を防止し得るとともに、意匠性を向上し得る入巾木及びこれを用いた床壁境界部納め構造を提供することを目的としている。
【課題を解決するための手段】
【０００７】
上記目的を達成するために、本発明に係る入巾木は、床材と壁材との境界部に沿って配設される入巾木であって、前記壁材の厚さ寸法と略同寸法とされて、この壁材の表面と連なるような表面部を有するとともに、この壁材が載置される断面略矩形状の壁面補強部と、前記壁面補強部の下端とによって室内側に開口する凹所を形成するように前記壁面補強部の下端に連成された縦片部と、を備えており、前記壁面補強部の高さ寸法を、当該入巾木が施工された状態で形成される壁面下端の凹部の高さ寸法よりも大きい寸法としていることを特徴とする。
【０００８】
本発明においては、前記縦片部から室内側に向けて突出するように形成され、前記床材の縁端部表面に当接する突出片部を更に備えたものとしてもよい。
また、本発明においては、前記突出片部を、その突出方向先端が、前記壁面補強部の表面部よりも前記縦片部側に位置するように形成されたものとしてもよい。
また、本発明においては、前記凹所の表面に沿うように取り付けられるとともに、前記壁材の表面に貼着される表面化粧シートの下端部を前記凹所の表面とによって挟むように保持するカバー部材を更に備えたものとしてもよい。
【０００９】
また、上記目的を達成するために、本発明に係る床壁境界部納め構造は、本発明に係る入巾木を用いて床材と壁材との境界部を納める床壁境界部納め構造であって、前記境界部に沿って固定された前記入巾木の壁面補強部に前記壁材が載置され、前記壁材の表面及び前記壁面補強部の表面部に表面化粧シートを貼着した構造とされていることを特徴とする。
【００１０】
本発明に係る床壁境界部納め構造においては、前記入巾木の縦片部の下端部を前記床材が固定される床下地に当接させて当該入巾木を固定した構造としてもよい。
【発明の効果】
【００１１】
本発明に係る入巾木及びこれを用いた床壁境界部納め構造は、上述のような構成としたことで、壁材の損傷を防止することができるとともに、意匠性を向上させることができる。
【図面の簡単な説明】
【００１２】
【図１】本発明の一実施形態に係る入巾木を用いた床壁境界部納め構造の一例を模式的に示す一部破断概略縦断面図である。
【図２】（ａ）、（ｂ）は、同床壁境界部納め構造の施工手順の一例をそれぞれ模式的に示す図１に対応させた一部破断分解概略縦断面図である。
【図３】（ａ）、（ｂ）は、いずれも本発明の他の実施形態に係る入巾木を用いた床壁境界部納め構造の一例を模式的に示し、（ａ）は、一部破断概略縦断面図、（ｂ）は、同床壁境界部納め構造の施工手順の一例を模式的に示す（ａ）に対応させた一部破断分解概略縦断面図である。
【図４】（ａ）、（ｂ）は、いずれも本発明の更に他の実施形態に係る入巾木を用いた床壁境界部納め構造の一例を模式的に示し、それぞれ図１に対応させた図である。
【発明を実施するための形態】
【００１３】
以下に本発明の実施の形態について、図面に基づいて説明する。
なお、以下の各実施形態において指す前後方向は、壁下地側を後方、その逆側（室内側）を前方として説明する。
【００１４】
図１及び図２は、第１実施形態に係る入巾木及びこれを用いた床壁境界部納め構造の一例について説明するための概念的な説明図である。
本実施形態に係る入巾木１は、図１に示すように、住居等の建物の床を構成する床材３と、内壁を構成する壁材５との境界部７に沿って配設される。
床材３は、根太や捨て張り合板、コンクリートスラブなどの床下地２に固定される。
図例では、壁材５が固定される柱材や間柱、横桟、胴縁などの壁下地４に、床材３の壁下地４側の端面３ｂが当接しておらず、これらの間に隙間８が形成された例を示している。
壁材５は、石膏ボードなどの無機質板や合板などの木質板等の下地ボードとされ、その表面５ａには、壁クロスや壁紙、合成樹脂化粧シート（フィルム）などの表面化粧シート６が貼着される。
【００１５】
入巾木１は、壁下地４や床材３などの固定対象に固定されるベース部材１０と、このベース部材１０に取り付けられるカバー部材２０とを備えており、これらベース部材１０及びカバー部材２０は、壁材５の幅方向に沿って帯状に長尺に形成されている。
ベース部材１０は、壁材５が載置される壁面補強部１１と、この壁面補強部１１の下端部１１ｃの後端部から略鉛直下方に向けて連成された縦片部１２と、この縦片部１２から前方（室内側）に向けて略水平方向に突出するように連成された突出片部１３とを有している。
このベース部材１０は、図２（ａ）に示すように、壁面補強部１１の下端部１１ｃと縦片部１２と突出片部１３とによって断面略コ字状（断面略倒Ｕ字状）とされ、室内側（前方）に向けて開口する凹所１９を下端に有している。
【００１６】
壁面補強部１１は、壁材５の厚さ寸法と略同寸法とされた断面略矩形状とされており、壁材５の表面５ａと連なるように、この壁材５の表面５ａと略同一平面状となるように形成された表面部１１ａと、壁材５が載置される上面部１１ｂとを有している。図例では、表面部１１ａ、上面部１１ｂ、下端部１１ｃ及び後面部によって中空部１５を区画形成した断面略ロ字状（四角筒状）とされており、この中空部１５を区画形成する各部は、薄平板状とされている。これら表面部１１ａ、上面部１１ｂ、下端部１１ｃ及び後面部は、例えば、０．５ｍｍ〜３ｍｍ程度の厚さとしてもよい。
この壁面補強部１１は、壁材５の下方に配設されて壁面を補強する補強部として機能する。
【００１７】
図例では、ベース部材１０は、壁面補強部１１の後面部及びこれに連なる縦片部１２を壁下地４に沿わせるようにして固定された例を示しており、この縦片部１２の下端部から突出片部１３が室内側に向けて略水平方向に突出形成された例を示している。
突出片部１３は、床材３と壁下地４との隙間８を覆い隠すようにして配設され、床材３の縁端部の表面３ａに当接される。
この突出片部１３は、本実施形態では、その突出方向先端となる前端１３ａが、壁面補強部１１の表面部１１ａよりも縦片部１２側に位置するように形成されている。つまり、縦片部１２からの突出片部１３の突出寸法（壁材５の厚さ寸法と同方向に沿う寸法）が、縦片部１２からの壁面補強部１１の厚さ寸法（壁材５の厚さ寸法と同方向に沿う寸法）よりも小さく形成されている。つまりは、突出片部１３の前端１３ａが、壁面補強部１１の表面部１１ａよりも後方に控えた位置とされている。
このベース部材１０の縦片部１２及び突出片部１３は、壁面補強部１１の上記各部と同様、それぞれ薄平板状とされており、例えば、０．５ｍｍ〜３ｍｍ程度の厚さとしてもよい。
【００１８】
ベース部材１０は、木質系材料や合成樹脂系材料、金属系材料等から形成するようにしてもよい。本実施形態では、強度確保の観点から金属系材料から押出成形によって、一体的に成形されたものとしている。
また、このベース部材１０の高さ寸法（床材３の表面３ａから壁材５の下端面５ｂまでの寸法）は、掃除機のヘッドや足先等の壁材５の下端部への衝突を防止できるような寸法としてもよい。例えば、４０ｍｍ〜１００ｍｍ程度、好ましくは５０ｍｍ〜７０ｍｍ程度とされたものとしてもよい。後記するカバー部材２０がベース部材１０の凹所１９に取り付けられた状態で形成される当該入巾木１の凹所９の高さ寸法（上下寸法）が、３ｍｍ〜３０ｍｍ程度となるように、各部の厚さ寸法や壁面補強部１１の高さ寸法を設定するようにしてもよい。この凹所９の高さ寸法が小さすぎれば、壁面下端の凹部としての凹所９が目立ち難くなる傾向があるとともに、施工時における作業性が悪くなる傾向がある。一方、この凹所９の高さ寸法が大きすぎれば、壁面下端の凹部としての凹所９が大きく露出して目立ち易くなり、見栄えが悪くなる傾向がある。
【００１９】
なお、このベース部材１０の縦片部１２及び突出片部１３の両方または一方に、固定対象に固定するための木ねじや釘等の固定止具が挿通される下孔を長手方向に沿って間隔を空けて適所に設けるようにしてもよい。または、このような下孔に代えて、縦片部１２の前面及び突出片部１３の上面の両方または一方に、固定止具の止着箇所の目印となる凹溝を長手方向に沿って形成するようにしてもよい。
【００２０】
カバー部材２０は、本実施形態では、ベース部材１０の凹所１９に対応させて、上片部２１、縦片部２２及び下片部２３を有した断面略コ字状（断面略倒Ｕ字状）に形成されており、ベース部材１０の凹所１９に嵌め込まれるようにして取り付けられる。つまり、カバー部材２０の外周面（上片部２１の上面、縦片部２２の後面及び下片部２３の下面）が、ベース部材１０の凹所１９の表面となる内周面（壁面補強部１１の下面、縦片部１２の前面及び突出片部１３の上面）に沿うように当接乃至は近接して取り付けられる。
また、このカバー部材２０は、図１に示すように、壁材５の表面５ａに貼着された表面化粧シート６の下端部６ａを、ベース部材１０とによって挟むように保持する構造とされている。つまり、カバー部材２０は、表面化粧シート６の下端部６ａを押さえる押さえ部材として機能する。
図例では、ベース部材１０の壁面補強部１１の下端部１１ｃと、カバー部材２０の上片部２１とによって、表面化粧シート６の下端部６ａを挟むように保持している例を示しているが、表面化粧シート６の余長によっては、これらの縦片部１２，２２間においても挟むようにしてもよい。
【００２１】
カバー部材２０の上片部２１は、図１に示すように、ベース部材１０に取り付けられた状態で、その突出方向先端となる前端が、ベース部材１０の壁面補強部１１の表面部１１ａよりも後方側（壁下地４側）に位置するように形成されている。つまり、カバー部材２０の上片部２１の前端が、ベース部材１０の壁面補強部１１の表面部１１ａよりも後方に控えた位置とされている。このような構成とすることで、ベース部材１０に取り付けた状態において、カバー部材２０の上片部２１が目立ち難くなり、見栄えを向上させることができる。
カバー部材２０の下片部２３は、ベース部材１０に取り付けられた状態で、その突出方向先端となる前端が、ベース部材１０の突出片部１３の前端１３ａよりも後方側（壁下地４側）に位置するように形成されている。なお、カバー部材２０の下片部２３の前端の端面と、ベース部材１０の突出片部１３の前端１３ａの端面とが略同一平面状となるようにしてもよい。
【００２２】
このカバー部材２０がベース部材１０に取り付けられた状態では、これらによって室内側に向けて開口する凹所９が形成され、この凹所９が壁面下端の入巾木１の凹部となる。このような凹所９を有した壁面構造とすることで、壁材下端に付設されるように設けられる出巾木と比べて、壁面下部空間がすっきりとした印象となり、その意匠性を向上させることができる。
このカバー部材２０の各部は、ベース部材１０と同様、それぞれ薄平板状とされており、例えば、０．５ｍｍ〜３ｍｍ程度の厚さとしてもよい。このカバー部材２０の厚さ及び高さ寸法は、凹所９の高さ寸法が上記程度となるように設定するようにしてもよい。
【００２３】
なお、カバー部材２０は、木質系材料や合成樹脂系材料、金属系材料等から形成するようにしてもよい。本実施形態では、カバー部材２０を、ベース部材１０の凹所１９にスムーズに嵌め入れ可能なように、合成樹脂系材料から押出成形によって、一体的に成形されたものとしている。
また、カバー部材２０の内周面（上片部２１の下面、縦片部２２の前面及び下片部２３の上面）や前方側に露出する端面に、塗装等を施したり、表面処理を施したりすることで、該内周面や端面を化粧面としてもよい。
【００２４】
次に、上記構成とされた入巾木１を用いて床材３と壁材５との境界部７を納める床壁境界部納め構造の施工手順の一例について説明する。
まず、図２（ａ）に示すように、床下地２に床材３を固定する。この際、本実施形態では、ベース部材１０に突出片部１３を設けているので、床材３の壁下地４側の端面３ｂと壁下地４との間に隙間８が形成された場合にも、この突出片部１３によって覆い隠すことができる。従って、床材３の壁下地４側の端部を高精度に切断等して加工する必要がなく、床材３の施工性を向上させることができる。
次いで、入巾木１のベース部材１０を壁下地４及び床材３の両方または一方に、固定止具によって固定する。この際、ベース部材１０の壁面補強部１１の後面及び縦片部１２の後面を壁下地４に当接させ、突出片部１３の下面を床材３の表面３ａに当接させることで、当該ベース部材１０の位置決めを容易に行うことができる。なお、固定止具による固定に代えて、または加えて、接着剤や粘着テープ等の粘着材によってベース部材１０を固定対象に対して固定するようにしてもよい。
【００２５】
上記のようにベース部材１０を固定した後、図２（ｂ）に示すように、このベース部材１０の壁面補強部１１の上面部１１ｂに壁材５を載置して、壁材５を壁下地４に対して固定止具等によって固定する。
次いで、壁材５の表面５ａ及び壁面補強部１１の表面部１１ａの全体に亘って表面化粧シート６を貼着する。この際、表面化粧シート６の下端部６ａが壁材５の表面５ａに連なるベース部材１０の壁面補強部１１の表面部１１ａよりも下方に延在するように貼着する。この表面化粧シート６の延在された余長部分の幅寸法（上下寸法）は、ベース部材１０の凹所１９の内周面とカバー部材２０の外周面との間に、当該余長部分の挟み込みが可能な程度であればよく、壁材５の幅方向に沿って均一である必要はない。つまり、本実施形態では、表面化粧シート６の下端部６ａは、ベース部材１０とカバー部材２０とによって挟まれるようにして保持されて露出しないため、その下端を高精度に切断等して加工する必要がなく、表面化粧シート６の施工性を向上させることができる。
【００２６】
上記のように、壁材５の表面５ａに表面化粧シート６を貼着した後、ベース部材１０の凹所１９に嵌め込むようにして、カバー部材２０をベース部材１０に対して取り付ける。このカバー部材２０のベース部材１０の凹所１９への嵌め込みにより、カバー部材２０の上片部２１の弾性変形を伴いながら、カバー部材２０の外周面とベース部材１０の凹所１９の内周面との間に、表面化粧シート６の下端部６ａが挟まれるようにして保持される。
なお、このカバー部材２０のベース部材１０への取り付けは、上記嵌め込みのみによって取り付ける態様としてもよく、さらには、接着剤や粘着テープ等の粘着材によって取り付ける態様としてもよい。
このようにベース部材１０にカバー部材２０を取り付ければ、図１に示すように、入巾木１が境界部７に沿って配設された状態となり、当該入巾木１によって壁面下端に凹所９が形成され、床材３と壁材５との境界部７を見栄え良く納めることができる。
【００２７】
以上のように、本実施形態に係る入巾木１を用いた床壁境界部納め構造によれば、壁材５の下端部の損傷を防止することができるとともに、意匠性を向上させることができる。
つまり、壁面補強部１１を有しているので、壁材５の下端部の損傷を当該壁面補強部１１によって防止することが可能でありながらも、入巾木１の下端に形成される凹所９の高さ寸法を比較的に小さい寸法とすることができ、意匠性を向上させることができる。すなわち、このような断面略矩形状とされた壁面補強部を設けずに、例えば、縦片部の高さ寸法を大きくし、つまり、凹所９の高さ寸法を大きくして、縦片部を壁面補強部として機能させることも可能ではあるが、この場合、凹所９が目立ち易くなる傾向がある。従って、このようなものでは、壁面下端に奥まったような印象を与える入巾木の凹所により奏される空間意匠性が低下する傾向があるが、本実施形態によれば、壁材５の下端部の損傷を防止しながらも高い意匠性を付与することができる。
【００２８】
また、壁面補強部１１は、壁材５の表面５ａと連なるような表面部１１ａを有しているので、表面化粧シート６を、壁材５の表面５ａから壁面補強部１１の表面部１１ａに至るまで段差なく貼着することができ、見栄えを向上させることができる。つまり、表面化粧シート６を貼着した状態では、壁材５の表面５ａ及びこれに連なる壁面補強部１１の表面部１１ａが露出せず、一体的な壁面となるので、壁面の見栄えを向上させることができる。
さらに、入巾木１のベース部材１０を、固定対象に固定した後、このベース部材１０の壁面補強部１１に壁材５を載置することができる。従って、例えば、壁材を床面から浮かせるようにして施工した後に施工するものと比べて、施工性を向上させることができる。
【００２９】
さらにまた、本実施形態では、ベース部材１０は、縦片部１２から室内側に向けて突出するように形成され、床材３の縁端部の表面３ａに当接する突出片部１３を備えている。従って、壁材５が固定される壁下地４と床材３の壁下地４側の端面３ｂとの間に隙間８が形成されるような場合にも、突出片部１３によって隙間８を覆い隠すことができ、見栄えを向上させることができる。また、床材３を床下地２に固定した後に、ベース部材１０を固定する際に、突出片部１３の下面を床材３の表面３ａに当接させることで、当該ベース部材１０の固定高さ位置の位置決めができるとともに、ベース部材１０を安定した状態で固定することができる。
また、本実施形態では、ベース部材１０の突出片部１３の前端１３ａを、壁面補強部１１の表面部１１ａよりも縦片部１２側に位置するように突出片部１３を形成している。従って、ベース部材１０の突出片部１３が、目立ち難く、見栄えを向上させることができる。
【００３０】
さらに、本実施形態では、ベース部材１０の凹所１９の内周面に沿うように取り付けられるとともに、壁材５の表面５ａに貼着される表面化粧シート６の下端部６ａを凹所１９の内周面とによって挟むように保持するカバー部材２０を備えている。従って、表面化粧シート６の下端部６ａを見栄え良く納めることができ、施工後における表面化粧シート６の下端部６ａの浮きや剥がれ等を防止することができる。
さらには、本実施形態では、中空部１５を有した壁面補強部１１としているので、この中空部１５を、電力線や情報線などの配線用の通線部として利用することもできる。この場合、壁面補強部１１の後面部や表面部１１ａ、上面部１１ｂ等に、配線挿入用乃至は配線引出用の開口を設けるようにしてもよい。
なお、本実施形態では、床材３の壁下地４側の端面３ｂと壁下地４との間に隙間８を形成するように床材３を施工した例を示しているが、床材３の壁下地４側の端面３ｂを壁下地４に突き付けて（当接させて）施工するようにしてもよい。
【００３１】
次に、本発明に係る他の実施の形態について、図面を参照しながら説明する。
図３は、第２実施形態に係る入巾木及びこれを用いた床壁境界部納め構造の一例について説明するための概念的な説明図である。
なお、上記第１実施形態との相違点について主に説明し、同様の構成については、同一符号を付し、その説明を省略または簡略に説明する。また、同様の施工手順等についてもその説明を省略または簡略に説明する。
【００３２】
本実施形態に係る入巾木１Ａは、ベース部材１０Ａの構成が上記第１実施形態に係る入巾木１とは主に異なる。
本実施形態では、ベース部材１０Ａは、図３（ａ）に示すように、突出片部１３よりもさらに下方に延びる下側縦片部１４を備えており、壁面補強部１１Ａの下端部１１ｃ、縦片部１２、突出片部１３及び下側縦片部１４によって断面略Ｆ字状とされている。
この下側縦片部１４は、縦片部１２を下方に延出させるようにして縦片部１２に連成されている。この下側縦片部１４の高さ寸法（突出片部１３の下面から当該下側縦片部１４の下端面までの寸法）は、床材３の厚さ寸法に応じた寸法とされている。つまり、下側縦片部１４は、ベース部材１０Ａの突出片部１３を床材３の縁端部の表面３ａに当接させた状態で、下側縦片部１４の下端面が床下地２に当接するように形成されている。つまりは、この下側縦片部１４は、床下地２に当接して床材３の厚さ寸法を吸収し得るスペーサー部として機能する。
また、本実施形態では、ベース部材１０Ａは、壁面補強部１１Ａの中空部１５Ａを仕切る仕切り１６を備えている。この仕切り１６は、略矩形状の中空の前上端角部から後下端角部に向けて傾斜するように設けられている。
【００３３】
上記構成とされた入巾木１Ａは、以下のように施工するようにしてもよい。
まず、図３（ｂ）に示すように、ベース部材１０Ａの壁面補強部１１Ａ、縦片部１２及び下側縦片部１４の後面を壁下地４に当接させ、下側縦片部１４の下端面を床下地２に当接させて当該ベース部材１０Ａを位置決めし、固定対象に固定する。
次いで、床材３の壁下地４側の端部を、突出片部１３と下側縦片部１４と床下地２とによって形成された室内側に向けて開口する凹所に差し込み、床材３を床下地２に固定する。また、ベース部材１０Ａの壁面補強部１１Ａの上面部１１ｂに壁材５を載置し、壁材５を壁下地４に固定する。
そして、上記第１実施形態と同様、壁材５の表面５ａに表面化粧シート６を貼着し、ベース部材１０Ａの凹所１９にカバー部材２０を嵌め込むようにして取り付ける。これにより、図３（ａ）に示すように、上記第１実施形態と同様、表面化粧シート６の下端部６ａがベース部材１０Ａの凹所１９の内周面とカバー部材２０の外周面とによって挟まれるようにして保持される。
【００３４】
上記構成とされた本実施形態に係る入巾木１Ａを用いた床壁境界部納め構造によれば、上記第１実施形態と同様の効果を奏する。
また、本実施形態では、ベース部材１０Ａに、床下地２に当接される下側縦片部１４を設けている。従って、床材３を床下地２に固定する前に、当該ベース部材１０Ａを施工する場合においても、下側縦片部１４の下端部を床下地２に当接させることで、ベース部材１０Ａの固定高さ位置の位置決めを容易に行うことができる。
さらに、本実施形態では、壁面補強部１１Ａの中空部１５Ａに仕切り１６を設けているので、中空状とされた壁面補強部１１Ａの強度を向上させることができる。
なお、床材３の壁下地４側の端面３ｂをベース部材１０Ａの下側縦片部１４の前面に突き付けて施工するようにしてもよい。
また、上記では、床材３を床下地２に固定する前に、ベース部材１０Ａを固定した例について説明したが、床材３を床下地２に固定した後に、隙間８にベース部材１０Ａの下側縦片部１４を差し込み、ベース部材１０Ａを固定対象に対して固定するようにしてもよい。
【００３５】
次に、本発明に係る更に他の実施の形態について、図４に基づいて説明する。
なお、図４では、表面化粧シートの図示を省略しているが、図４に示す各例においても上記各実施形態と同様、表面化粧シートの下端部がベース部材とカバー部材とによって挟まれるようにして保持される構造とされている。
【００３６】
図４（ａ）は、第３実施形態に係る入巾木１Ｂ及びこれを用いた床壁境界部納め構造の一例を示している。なお、上記各実施形態との相違点について主に説明し、同様の構成については、同一符号を付し、その説明を省略または簡略に説明する。また、同様の施工手順等についてもその説明を省略または簡略に説明する。
【００３７】
本実施形態に係る入巾木１Ｂのベース部材１０Ｂは、突出片部を備えておらず、縦片部１２Ａに、前方に向けて突出するように設けられた係合突片部１２ａを有している。本実施形態では、ベース部材１０Ｂは、壁面補強部１１Ｂの下端部１１ｃと係合突片部１２ａを設けた縦片部１２Ａとによって断面略Ｌ字状とされ、前方及び下方に向けて開口する凹所１９Ａを有した構造とされている。この凹所１９Ａ内に嵌め込まれるようにカバー部材２０Ａが取り付けられる。
また、ベース部材１０Ｂの壁面補強部１１Ｂは、中空部１５Ｂを前後に仕切るように略垂直に設けられた仕切り１６Ａを備えている。
このベース部材１０Ｂは、下側縦片部１４の前面と床材３の壁下地４側の端面３ｂとを近接乃至は当接させて配設される。
【００３８】
また、本実施形態に係る入巾木１Ｂのカバー部材２０Ａは、下片部を備えていない点が上記各実施形態とは大きく異なる。つまり、本実施形態では、カバー部材２０Ａは、上片部２１と、縦片部２２とによって、断面略Ｌ字状とされ、前方及び下方に向けて開口する凹所を有した構造とされている。このカバー部材２０Ａは、縦片部２２の下端部がベース部材１０Ｂの係合突片部１２ａに係合し、嵌め込むように取り付けられる。
【００３９】
上記構成とされた本実施形態に係る入巾木１Ｂを用いた床壁境界部納め構造によっても、上記第２実施形態と概ね同様の効果を奏する。
また、本実施形態では、ベース部材１０Ｂに突出片部を設けず、カバー部材２０Ａに下片部を設けていないため、当該入巾木１Ｂにより形成される凹所９Ａが、上記各実施形態と比べて、よりすっきりとした印象となり、より見栄えを向上させることができる。
さらに、本実施形態では、壁面補強部１１Ｂの中空部１５Ｂに、略垂直に仕切り１６Ａを設けているので、当該壁面補強部１１Ｂの上下方向に沿う強度を向上させることができる。
【００４０】
なお、ベース部材１０Ｂの縦片部１２Ａに係合突片部１２ａを設ける態様に代えて、または加えて、ベース部材１０Ｂの壁面補強部１１Ｂの下端部１１ｃの前縁部に下方に向けて垂れ下がるように係合突片部を設けるようにしてもよい。つまり、カバー部材２０Ａの上片部２１の前端に係合する係合突片部をベース部材１０Ｂに設けるようにしてもよい。このような構造とすれば、表面化粧シート６（図１等参照）の下端部６ａを、壁面補強部１１Ｂの下端部１１ｃの前縁部の係合突片部とカバー部材２０Ａの前端との間に挟むようにして保持することもでき、その下端部６ａをより強固に保持することもできる。この場合、表面化粧シート６は、一般的に十分に薄いものではあるが、その厚さを考慮して、壁面補強部１１Ｂの下端部１１ｃの前縁部の係合突片部及びカバー部材２０Ａの前端の形状を形成するようにしてもよい。
【００４１】
図４（ｂ）は、第４実施形態に係る入巾木１Ｃ及びこれを用いた床壁境界部納め構造の一例を示している。なお、上記各実施形態との相違点について主に説明し、同様の構成については、同一符号を付し、その説明を省略または簡略に説明する。また、同様の施工手順等についてもその説明を省略または簡略に説明する。
本実施形態では、ベース部材１０Ｃの壁面補強部１１Ｃは、中空部１５Ｃを上下に仕切るように略水平に設けられた複数（図例では、二つ）の仕切り１６Ｂを備えている。
【００４２】
また、このベース部材１０Ｃが備える壁面補強部１１Ｃの下端部１１Ａｃの下面には、係合部としての係合突条１１ｄが当該ベース部材１０Ｃの長手方向に沿って形成されている。この係合突条１１ｄは、下端部１１Ａｃの前後方向（壁材５の厚さ方向と同方向に沿う方向）の途中部位において、その下面から下方に向けて突出するように形成されている。
また、ベース部材１０Ｃの縦片部１２Ｂの前面には、係合部としての係合突条１２ｂが当該ベース部材１０Ｃの長手方向に沿って形成されている。この係合突条１２ｂは、縦片部１２Ｂの高さ方向の途中部位において、その前面から前方に向けて突出するように形成されている。本実施形態では、ベース部材１０Ｃは、これら壁面補強部１１Ｃの下端部１１Ａｃと、縦片部１２Ｂとによって断面略Ｌ字状とされ、前方及び下方に向けて開口する凹所１９Ｂを有した構造とされている。
【００４３】
本実施形態に係る入巾木１Ｃのカバー部材２０Ｂは、上片部２１Ａと縦片部２２Ａとによって断面略Ｌ字状とされている。本実施形態では、カバー部材２０Ｂの縦片部２２Ａは、その下端が床材３の表面３ａに近接乃至は当接して配設される構造とされている。なお、当該入巾木１Ｃが施工された状態において、カバー部材２０Ｂの縦片部２２Ａの下端と床材３の表面３ａとの間に隙間が形成される構造としてもよい。
【００４４】
このカバー部材２０Ｂの上片部２１Ａの上面には、壁面補強部１１Ｃの下端部１１Ａｃの係合突条１１ｄに係合する係合部としての係合凹溝２１ａが当該カバー部材２０Ｂの長手方向に沿って形成されている。この係合凹溝２１ａは、上片部２１Ａの突出方向（壁材５の厚さ方向と同方向に沿う方向）の途中部位において、その上面に、上方に向けて開口するように形成されている。
また、カバー部材２０Ｂの縦片部２２Ａの後面には、ベース部材１０Ｃの縦片部１２Ｂの係合突条１２ｂに係合する係合部としての係合凹溝２２ａが当該カバー部材２０Ｂの長手方向に沿って形成されている。この係合凹溝２２ａは、縦片部２２Ａの高さ方向の途中部位において、その後面に、後方に向けて開口するように形成されている。
このカバー部材２０Ｂは、固定対象に固定されたベース部材１０Ｃに対して、このベース部材１０Ｃと床材３とによって形成される凹所に嵌め込むようにして取り付けられる。また、互いの係合部（上部係合部）１１ｄ，２１ａ及び係合部（縦部係合部）１２ｂ，２２ａを係合させて取り付けられる。
【００４５】
上記構成とされた本実施形態に係る入巾木１Ｃを用いた床壁境界部納め構造によっても、上記第３実施形態と概ね同様の効果を奏する。
また、ベース部材１０Ｃ及びカバー部材２０Ｂのそれぞれに互いに係合する上部係合部１１ｄ，２１ａ及び縦部係合部１２ｂ，２２ａを設けているので、ベース部材１０Ｃに対するカバー部材２０Ｂの取付強度を向上させることができる。
さらに、表面化粧シート６（図１等参照）の下端部６ａを、ベース部材１０Ｃ及びカバー部材２０Ｂのそれぞれに設けられた係合部の部位において挟むようにして保持する構造とすることもでき、これによれば、その下端部６ａをより強固に保持することができる。この場合、表面化粧シート６は、一般的に十分に薄いものではあるが、その厚さを考慮して、各係合部の形状を形成するようにしてもよい。
さらにまた、本実施形態では、壁面補強部１１Ｃの中空部１５Ｃに、略水平に仕切り１６Ｂを設けているので、当該壁面補強部１１Ｃの前後方向に沿う強度を向上させることができる。
【００４６】
なお、これらベース部材１０Ｃ及びカバー部材２０Ｂに設けた係合部の位置や形状等は図例のものに限られず、互いに嵌め合い、係合するものとすればよい。さらには、これらの係合部に、脱離を防止する抜止の係止突起や係止爪等を設けるようにしてもよい。
また、本実施形態では、ベース部材１０Ｃ及びカバー部材２０Ｂのそれぞれに互いに係合する上部係合部１１ｄ，２１ａ及び縦部係合部１２ｂ，２２ａを設けた例を示しているが、これらのうちのいずれか一方のみを設ける態様としてもよい。
さらには、ベース部材１０Ｃ及びカバー部材２０Ｂに互いに係合する係合部を設けないものとしてもよい。このような構造においても、壁面補強部の下端部及び縦片部と床材の表面とによって形成される凹所に、カバー部材を嵌め込むようにして取り付けることが可能である。
【００４７】
また、上記第３，４実施形態では、ベース部材１０Ｂ，１０Ｃに、床下地２に下端が当接する下側縦片部１４を設けた例を示しているが、このような下側縦片部を設けない態様としてもよい。この場合は、各縦片部１２Ａ，１２Ｂの下端を床材３の表面３ａに当接させて、これら各ベース部材１０Ｂ，１０Ｃを固定対象に固定する構造としてもよい。また、この場合は、床材３の壁下地４側の端面３ｂを壁下地４に突き付けて（当接させて）施工するようにしてもよい。
また、上記第３実施形態において説明したような係合突片部を、上記第４実施形態に係る入巾木１Ｃのベース部材１０Ｃに設けるようにしてもよい。
また、上記第４実施形態において説明したような係合部を、上記第３実施形態に係る入巾木１Ｂのベース部材１０Ｂ及びカバー部材２０Ａに設けるようにしてもよい。
【００４８】
さらに、上記第３，４実施形態においては、下片部を有していないカバー部材について説明したが、これらに上記第１，２実施形態において説明したような下片部を設けるようにしてもよい。この場合、必要に応じてベース部材の形状を変形させるようにすればよい。また、この場合においては、壁下地と床材の壁下地側端部との隙間を、カバー部材の下片部によって覆い隠す構造としてもよい。
さらにまた、上記第３，４実施形態においては、突出片部を有していないベース部材について説明したが、これらに上記第１，２実施形態において説明したような突出片部を設けるようにしてもよい。この場合、必要に応じてカバー部材の形状を変形させるようにすればよい。
【００４９】
また、上記第２実施形態乃至第４実施形態において説明した壁面補強部の中空部の仕切りのいずれかを、上記第１実施形態において説明した壁面補強部の中空部に設けるようにしてもよい。また、上記第２実施形態乃至第４実施形態において説明した壁面補強部の中空部に仕切りを設けないようにしてもよく、または、各中空部の仕切りを他の実施形態の仕切りに代えて、または加えて適用するようにしてもよい。
さらに、このような仕切りに代えて、または加えて、上記各実施形態において説明した壁面補強部の中空部に、リブを設けるようにしてもよい。
【００５０】
さらにまた、上記各実施形態では、壁面補強部を、中空状の断面略ロ字状（四角筒状）とした例を示しているが、このような態様に限られない。最外周を結ぶ外郭線の形状が矩形状で、少なくとも壁材が載置される上面部と、壁材の表面と連なるような表面部と、縦片部とともに凹所を形成する下端部とを備えたものとすればよい。例えば、壁下地側に向けて開口する断面略コ字状（断面略倒Ｕ字状）のものや、断面略Ｅ字状のものとしてもよい。さらには、このような中空状ではなく、四角柱状の中実のものとしてもよい。材料コスト及び強度確保の観点からは、上記各実施形態において説明したような断面略ロ字状とされた中空状のものとしてもよい。
【００５１】
また、上記各実施形態では、ベース部材の縦片部を、壁下地に沿うように配設されるものとしたが、このような態様に限られない。例えば、壁面補強部の下端部の前後方向（壁材の厚さ方向と同方向）の途中部位から下方に向けて縦片部を連成するようにしてもよい。つまり、壁面補強部の下端部と縦片部とによって断面略Ｔ字状となるようなものとしてもよい。
さらに、上記各実施形態において説明したベース部材の壁面補強部の表面部の下縁部（下端部の前縁部）や、突出片部の前端の上縁部に、Ｃ面形状やＲ面形状の面取り部を設けるようにしてもよい。または、これら壁面補強部の下端部や、突出片部の前側部位に、凹所を室内側に向けて拡開するような形状となる傾斜面を設けるようにしてもよい。これらの部位に、上記のような面取り部や傾斜面を設けることで、カバー部材を取り付ける際に、誘いとして機能し、よりスムーズな取り付けが可能となる。また、このような面取り部や傾斜面をベース部材に設ける態様に代えて、または加えて、カバー部材の後側の縁部等に面取り部や傾斜面を設けるようにしてもよい。
【００５２】
さらにまた、上記各実施形態では、断面略コ字状または断面略Ｌ字状とされたカバー部材を例示しているが、平板状のカバー部材としてもよい。このような平板状のカバー部材とした場合でも、ベース部材の壁面補強部の下面などに上記したような係合部や係合突片部を設けることで、ベース部材の凹所の内周面となる天面側に、嵌め込むようにして取り付けることが可能である。また、ベース部材の縦片部に上記したような係合部や係合突片部、突出片部を設けることで、ベース部材の凹所の内周面となる縦片部の前面側に、嵌め込むようにして取り付けることが可能である。または、ベース部材の縦片部に上記したような係合部や係合突片部、突出片部を設けない態様でも床面の表面にカバー部材の下端を当接させることで、ベース部材の凹所の内周面となる縦片部の前面側に、嵌め込むようにして取り付けることが可能である。
さらには、このような嵌め込みによる取り付けが可能とされた態様に代えて、平板状のカバー部材を、接着剤や粘着テープ等の粘着材を用いてベース部材の各部に取り付ける態様としてもよい。
【００５３】
また、上記各実施形態では、ベース部材の凹所の表面に取り付けられるカバー部材を設けた例を示しているが、このようなカバー部材を設けない態様としてもよい。つまり、上記各実施形態において説明したベース部材を、入巾木として把握するようにしてもよい。この場合、壁面補強部の表面部に貼着された表面化粧シートの下端部を、壁面補強部の表面部からその下端部や縦片部に巻き込ませるようにして接着等により納めるようにしてもよい。この場合、壁面補強部の露出する下端部や縦片部突出片部等に、塗装等を施したり、表面処理を施したりすることで、これらを化粧面としてもよい。
さらに、上記各実施形態では、壁材の表面に貼着された表面化粧シートを、壁面補強部の表面部に至るようにその全面に亘って貼着した例を示しているが、壁面補強部の表面部に表面化粧シートを貼着しない態様としてもよい。この場合、この壁面補強部の表面部に、塗装等を施したり、表面処理を施したりすることで、該表面部を化粧面としてもよい。また、この場合、壁材の表面にも表面化粧シートを貼着せずに、この表面に塗装等を施したり、表面処理を施したりすることで、該表面を化粧面とする態様としてもよい。
【００５４】
また、上記各実施形態では、入巾木のベース部材及びカバー部材を、壁材の幅方向に沿って帯状に長尺に形成されたものとしているが、床材と壁材との境界部に沿うようにして配設される形状とすればよい。例えば、隣接する壁材同士が交差する室内角部の入隅部や出隅部に配設する場合には、これらベース部材及びカバー部材を、平面視して略Ｌ字状とされたものとしてもよい。また、入隅部や出隅部に向けて配設される各ベース部材及び各カバー部材の入隅部や出隅部側の端部を斜めに切断し、上記入隅部や出隅部において端部同士を突き合わせて接合する態様としてもよい。
【符号の説明】
【００５５】
１，１Ａ，１Ｂ，１Ｃ          入巾木
１１，１１Ａ，１１Ｂ，１１Ｃ  壁面補強部
１１ａ                        壁面補強部の表面部
１１ｃ，１１Ａｃ              壁面補強部の下端部（下端）
１２，１２Ａ，１２Ｂ          縦片部
１３                          突出片部
１３ａ                        突出片部の前端（突出方向先端）
１４                          下側縦片部（縦片部の下端部）
１９，１９Ａ，１９Ｂ          凹所
２０，２０Ａ，２０Ｂ          カバー部材
２                            床下地
３                            床材
３ａ                          床材の表面
５                            壁材
５ａ                          壁材の表面
６                            表面化粧シート
６ａ                          表面化粧シートの下端部
７                            境界部
【図１】
0005793659.tif 000002
【図２】
0005793659.tif 000003
【図３】
0005793659.tif 000004
【図４】
0005793659.tif 000005